【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
入射した被写体光学像を変換して、予め設定された周期で電気的な画像信号を出力する撮像手段と、
前記撮像手段から出力された画像信号を、予め設定された複数周期分ずつ位置合わせしながら合成して、１枚分の動画像の画像信号を逐次出力する動画合成手段と、
前記撮像手段から出力された画像信号を、予め設定された複数周期分、位置合わせしながら合成して、１枚分の静止画像の画像信号を出力する静止画合成手段と、
前記撮像手段から出力される画像信号の評価値を検出する評価値検出手段と、
前記評価値に基づいて、前記複数周期分の画像信号を合成する際の重みの比を示す合成比を、動画用と静止画用にそれぞれ決定する合成比決定手段とを有し、
前記動画合成手段は前記動画用の合成比で、前記静止画合成手段は前記静止画用の合成比で、前記複数周期分の画像信号をそれぞれ合成することを特徴とする撮像装置。
【請求項２】
前記評価値検出手段は前記評価値として各周期の画像信号の合焦レベルを検出し、前記合成比決定手段は前記静止画用の合成比として、前記合焦レベルの高い画像信号の合成比を、合焦レベルの低い画像信号の合成比よりも高くすることを特徴とすることを特徴とする請求項１に記載の撮像装置。
【請求項３】
前記合成比決定手段は前記合焦レベルに関わらず、前記動画用の合成比を予め設定された比にすることを特徴とすることを特徴とする請求項２に記載の撮像装置。
【請求項４】
前記評価値検出手段は前記評価値として各周期の画像信号の露光レベルを検出し、前記合成比決定手段は前記静止画用の合成比として、前記露光レベルの高い画像信号の合成比を、露光レベルの低い画像信号の合成比よりも高くすることを特徴とすることを特徴とする請求項１または２に記載の撮像装置。
【請求項５】
前記評価値検出手段は、前記動画用の合成比を前記露光レベルの逆数とすることを特徴とする請求項４に記載の撮像装置。
【請求項６】
前記評価値検出手段は前記評価値として連続する２周期の画像信号間の画像の動き量を検出し、前記合成比決定手段は前記静止画用の合成比として、前記動き量の少ない画像信号の合成比を、動き量の大きい画像信号の合成比よりも高くすることを特徴とすることを特徴とする請求項１、２、４のいずれか１項に記載の撮像装置。
【請求項７】
前記合成比決定手段は前記動き量に関わらず、前記動画用の合成比を予め設定された比にすることを特徴とすることを特徴とする請求項６に記載の撮像装置。
【請求項８】
入射した被写体光学像を変換して、予め設定された周期で電気的な画像信号を出力する撮像手段と、
前記撮像手段から出力された画像信号を、予め設定された複数周期分ずつ位置合わせしながら合成して、１枚分の動画像の画像信号を逐次出力する動画合成手段と、
前記撮像手段から出力された画像信号を、予め設定された複数周期分、位置合わせしながら合成して、１枚分の静止画像の画像信号を出力する静止画合成手段と、
フラッシュの発光タイミングに基づいて、前記複数周期分の画像信号を合成する際の重みの比を示す合成比を動画用と静止画用にそれぞれ決定する合成比決定手段とを有し、
前記合成比決定手段は、前記動画用の場合、前記フラッシュの発光タイミングを含む周期の画像信号の合成比を、含まない周期の画像信号の合成比よりも低くし、前記静止画用の場合、前記フラッシュの発光タイミングを含む周期の画像信号の合成比を、含まない周期の画像信号の合成比よりも高くし、前記動画合成手段は前記動画用の合成比で、前記静止画合成手段は前記静止画用の合成比で、前記複数周期分の画像信号をそれぞれ合成することを特徴とする撮像装置。
【請求項９】
入射した被写体光学像を変換して、予め設定された周期で出力された電気的な画像信号の評価値を検出する評価値検出工程と、
前記画像信号を、予め設定された複数周期分ずつ位置合わせしながら合成して、１枚分の動画像の画像信号を逐次出力する動画合成工程と、
前記画像信号を、予め設定された複数周期分、位置合わせしながら合成して、１枚分の静止画像の画像信号を出力する静止画合成工程と、
前記評価値に基づいて、前記複数周期分の画像信号を合成する際の重みの比を示す合成比を動画用と静止画用にそれぞれ決定する合成比決定工程とを有し、
前記動画合成工程では前記動画用の合成比で、前記静止画合成工程は前記静止画用の合成比で、前記複数周期分の画像信号をそれぞれ合成することを特徴とする画像処理方法。
【請求項１０】
入射した被写体光学像を変換して、予め設定された周期で出力された電気的な画像信号を、予め設定された複数周期分ずつ位置合わせしながら合成して、１枚分の動画像の画像信号を逐次出力する動画合成工程と、
前記画像信号を、予め設定された複数周期分、位置合わせしながら合成して、１枚分の静止画像の画像信号を出力する静止画合成工程と、
フラッシュの発光タイミングに基づいて、前記複数周期分の画像信号を合成する際の重みの比を示す合成比を動画用と静止画用にそれぞれ決定する合成比決定工程とを有し、
前記合成比決定工程は、前記動画用の場合、前記フラッシュの発光タイミングを含む周期の画像信号の合成比を、含まない周期の画像信号の合成比よりも低くし、前記静止画用の場合、前記フラッシュの発光タイミングを含む周期の画像信号の合成比を、含まない周期の画像信号の合成比よりも高くし、前記動画合成工程は前記動画用の合成比で、前記静止画合成工程は前記静止画用の合成比で、前記複数周期分の画像信号をそれぞれ合成することを特徴とする画像処理方法。
【手続補正２】
【補正対象書類名】明細書
【補正対象項目名】００１０
【補正方法】変更
【補正の内容】
【００１０】
上記目的を達成するために、本発明の撮像装置は、入射した被写体光学像を変換して、予め設定された周期で電気的な画像信号を出力する撮像手段と、前記撮像手段から出力された画像信号を、予め設定された複数周期分ずつ位置合わせしながら合成して、１枚分の動画像の画像信号を逐次出力する動画合成手段と、前記撮像手段から出力された画像信号を、予め設定された複数周期分、位置合わせしながら合成して、１枚分の静止画像の画像信号を出力する静止画合成手段と、前記撮像手段から出力される画像信号の評価値を検出する評価値検出手段と、前記評価値に基づいて、前記複数周期分の画像信号を合成する際の重みの比を示す合成比を、動画用と静止画用にそれぞれ決定する合成比決定手段とを有し、前記動画合成手段は前記動画用の合成比で、前記静止画合成手段は前記静止画用の合成比で、前記複数周期分の画像信号をそれぞれ合成する。
【手続補正３】
【補正対象書類名】明細書
【補正対象項目名】００１１
【補正方法】変更
【補正の内容】
【００１１】
また、本発明の画像処理方法は、入射した被写体光学像を変換して、予め設定された周期で出力された電気的な画像信号の評価値を検出する評価値検出工程と、前記画像信号を、予め設定された複数周期分ずつ位置合わせしながら合成して、１枚分の動画像の画像信号を逐次出力する動画合成工程と、前記画像信号を、予め設定された複数周期分、位置合わせしながら合成して、１枚分の静止画像の画像信号を出力する静止画合成工程と、前記評価値に基づいて、前記複数周期分の画像信号を合成する際の重みの比を示す合成比を動画用と静止画用にそれぞれ決定する合成比決定工程とを有し、前記動画合成工程では前記動画用の合成比で、前記静止画合成工程は前記静止画用の合成比で、前記複数周期分の画像信号をそれぞれ合成する。
【手続補正４】
【補正対象書類名】明細書
【補正対象項目名】００１２
【補正方法】変更
【補正の内容】
【００１２】
また、別の構成によれば、本発明の撮像装置は、入射した被写体光学像を変換して、予め設定された周期で電気的な画像信号を出力する撮像手段と、前記撮像手段から出力された画像信号を、予め設定された複数周期分ずつ位置合わせしながら合成して、１枚分の動画像の画像信号を逐次出力する動画合成手段と、前記撮像手段から出力された画像信号を、予め設定された複数周期分、位置合わせしながら合成して、１枚分の静止画像の画像信号を出力する静止画合成手段と、フラッシュの発光タイミングに基づいて、前記複数周期分の画像信号を合成する際の重みの比を示す合成比を動画用と静止画用にそれぞれ決定する合成比決定手段とを有し、前記合成比決定手段は、前記動画用の場合、前記フラッシュの発光タイミングを含む周期の画像信号の合成比を、含まない周期の画像信号の合成比よりも低くし、前記静止画用の場合、前記フラッシュの発光タイミングを含む周期の画像信号の合成比を、含まない周期の画像信号の合成比よりも高くし、前記動画合成手段は前記動画用の合成比で、前記静止画合成手段は前記静止画用の合成比で、前記複数周期分の画像信号をそれぞれ合成する。
【手続補正５】
【補正対象書類名】明細書
【補正対象項目名】００１３
【補正方法】変更
【補正の内容】
【００１３】
本発明の画像処理方法は、入射した被写体光学像を変換して、予め設定された周期で出力された電気的な画像信号を、予め設定された複数周期分ずつ位置合わせしながら合成して、１枚分の動画像の画像信号を逐次出力する動画合成工程と、前記画像信号を、予め設定された複数周期分、位置合わせしながら合成して、１枚分の静止画像の画像信号を出力する静止画合成工程と、フラッシュの発光タイミングに基づいて、前記複数周期分の画像信号を合成する際の重みの比を示す合成比を動画用と静止画用にそれぞれ決定する合成比決定工程とを有し、前記合成比決定工程は、前記動画用の場合、前記フラッシュの発光タイミングを含む周期の画像信号の合成比を、含まない周期の画像信号の合成比よりも低くし、前記静止画用の場合、前記フラッシュの発光タイミングを含む周期の画像信号の合成比を、含まない周期の画像信号の合成比よりも高くし、前記動画合成工程は前記動画用の合成比で、前記静止画合成工程は前記静止画用の合成比で、前記複数周期分の画像信号をそれぞれ合成する。